(57)【要約】【課題】低コスト化および注射針体のポジションの正確性を増進する安全注射針筒の注射針柄ポジション構造を提供する。【解決手段】注射針筒１の頚部１１の上端にポジション凸リング１２を形成し、且つ、頚部１１の下端の内縁から上に向けて内叉する弾靭性締込部１３を一体形成するとともに、末端に内向きに引掛け体１４を形成し、注射針体２１を装着した注射針柄２の底部に内向きにラッパ孔２２を設ける。孔の端は拡大穴２３になっていて、ほかに、注射針柄２の底端に外向きに誘導面２４を設けるとともに、外側に当該引掛け体１４に対応配置する窪み部２５を形成する。【選択図】　　図１
2004016334.tif 000002
【特許請求の範囲】
【請求項１】
注射針筒の頚部の上端にポジション凸リングを形成し、且つ、頚部の下端の内縁から上に向けて内叉する弾靭性締込部を一体形成するとともに、末端に内向きに引掛け体を形成し、注射針体を装着した注射針柄の底部に内向きにラッパ孔を設け、孔の端は拡大穴になっており、注射針柄の底端に外向きに誘導面を設けるとともに、外側に該引掛け体に対応配置する窪み部を形成することを特徴とする安全注射針筒の注射針柄ポジション構造。
【請求項２】
前記ポジション凸リングに挿設した注射針カバーは、その外縁に該引掛け体に対応配置する窪み部を形成していることを特徴とする請求項１記載の安全注射針筒の注射針柄ポジション構造。
【発明の詳細な説明】
【０００１】
【発明の属する技術分野】
本発明は、安全注射針筒の注射針柄ポジション構造に係るもので、とくにコストが低くかつ注射針体のポジションが正確に設計されているものに関する。
【０００２】
【従来の技術】
中華民国特許公告第３３２４３３号が開示する「安全注射針筒の改良構造」では、注射針柄のポジション構造は図５〜９で示されるように、注射針柄５の後端にラッパ孔５１が開けられ、孔の内部は矢じり形の穴部５２に拡大されているので、ピストン６のピストンヘッド６１の前端に設けた矢じり形の接合体６２と結合することができ、注射を終えたときに、当該接合体６２は矢じり形穴部５２と結合して一体となり、ピストン６が後ろに引かれると、注射針柄５を注射針体５３と連動させて、一緒に注射針筒７の頚部７１から引き離し、注射針体６３は注射針筒７の注射針筒体７２の内部まで引き戻されるため、外に出ないので安全が確保されている。
【０００３】
さらに、当該特許では注射針柄５を注射針筒７の頚部７１に押し込み、当該注射針柄５が問題なく引き戻されるようにするために、注射針柄５は従来のプラスチック材質を使用せずに弾性のあるゴムで構成しなければならないが、ゴムの価格はプラスチックの数倍もし、しかも、その弾性の特性から注射針体５３のポジションにズレが生じやすく、高コストでかつ注射針体のポジションにズレが生じやすいという欠点がある。
【０００４】
関連する特許にはさらに米国第４９３２９３９、５１６３９０７、５９１０１３０、５８７９３３９、５９０２２７７、５９０２２７１、５９０２２７０、５９０２２６９、５３９５３４６、４７３７１４４、５３４４４０３及び５５６９２０３号などがある。
【０００５】
【発明が解決しようとする課題】
本発明の主な目的は、低コスト化を増進させる安全注射針筒の注射針柄ポジション構造を提供することである。
本発明のさらなる目的は、注射針体のポジションの正確性を増進する安全注射針筒の注射針柄ポジション構造を提供することである。
【０００６】
【課題を解決するための手段】
上記目的を達成するために、本発明の請求項記載の安全注射針筒の注射針柄ポジション構造は、注射針筒の頚部下端の内縁から上に向けて内叉する弾靭性の締込部及び引掛け体を一体形成するとともに、注射針柄に相対するように窪み部を設け、係止と締付けによる方法で注射針柄を注射針筒の頚部に結合させ、且つ注射針柄は注射針体と連動して注射針筒の内部まで引き戻されるが、注射針柄はプラスチック材質で作製してもよく、ゴム注射針柄に比べてコストが低く、かつ注射針体のポジションが正確であるという効果が増進されることを特徴としている。
【０００７】
【発明の実施の形態】
まず、図１と図２に示されるように、本発明の一実施例による安全注射針筒の注射針柄ポジション構造は、注射針筒１の頚部１１の上端にポジション凸リング１２を形成し、且つ、頚部１１の下端の内縁から上に向けて内叉する弾靭性締込部１３を一体成型するとともに、末端に内向きに引掛け体１４を形成し、注射針体２１を装着した注射針柄２の底部に内向きにラッパ孔２２を設け、孔の端は拡大穴２３になっていて、ほかに、注射針柄２の底端に外向きに誘導面２４を設けるとともに、外側に当該引掛け体１４に対応配置する窪み部２５を形成している。
【０００８】
さらに、図３に示されるように、ポジション凸リング１２は、注射針カバー３をポジションに挿設するためのもので、さらに、ピストン４のピストンヘッド４１前端に、当該注射針柄２のラッパ孔２２及び拡大穴２３に対応するように接合体４２を設けていて、その接合関係により、注射針柄２を注射針体２１と共に引き戻す目的が達成される。ただし、こうした構造上の特徴は本件の目的とするものではないため、ここでは詳述しない。
【０００９】
図３と図５に示されるように、ほかに、注射針カバー３の外縁が当該引掛け体１４に対応するように窪み部３１を設けていて、注射針体２１が注射針筒体１５の内部まで引き戻されるとき、即ち注射針カバー３を反対方向に引き戻すと窪み部３１が引掛け体１４の箇所で係合状態になり、針に突き刺さる可能性は全くなく、且つ、注射針筒１内に残る血液が滲み出ることもないため、医療従事者の安全が確保される。
【００１０】
かかる構造に基づき、本実施例による注射針柄２のラッパ孔２２は底部に内収縮する弾力性を持たせるとともに、誘導面２４を用いて注射針筒１の頚部１１を誘導し、且つ、窪み部２５を注射針筒１の引掛け体１４の箇所で係合状態にさせるので、当該弾靭性締込部１３はその内束力で注射針柄２のポジションを固定することができる（図２参照）。このほか、注射した後にピストン４を引き戻したときに［ピストン４と注射針柄２の接合関係は上段で説明済み］、引き戻す力によって当該弾靭性締込部１３の内束力は相殺され、注射針体２１は注射針筒体１５の内部まで引き戻されるので、本発明では係止と締付けによる方法で注射針柄２を注射針筒１の頚部１１に結合させるため、プラスチック材質でも直接成型することができ、前述した特許のようにゴムを作製材料にする必要はなく、コストを低減するのみならず、プラスチック材質の注射針柄でも注射針体２１のポジションをさらに正確にでき、コストが低くかつ注射針体のポジションが正確であるという効果を増進できる。
【００１１】
総じて言えば、本発明の一実施例が開示する構造は、これまでにはなく、かつ所期の効果を着実に上げられるとともに、実用化が可能で、新型特許の要件に完全に合致している。ただし、上記の図面、説明は本発明の好ましい実施例にすぎず、該分野に詳しい技術者が本発明の思考範疇において行った加工または等価的バリエーションは、本発明の特許出願の範囲内である。
【図面の簡単な説明】
【図１】本発明の一実施例における安全注射針筒の注射針柄ポジション構造において、結合前の構造を示す断面図である。
【図２】本発明の一実施例における安全注射針筒の注射針柄ポジション構造において、結合後の構造を示す断面図である。
【図３】本発明の一実施例による安全注射針の組み立てを示す断面図である。
【図４】本発明の一実施例による安全注射針において、引き戻し状態を示す断面図である。
【図５】本発明の一実施例における注射針カバーを反対方向に戻した状態を示す模式図である。
【図６】特許公告第３３２４３３号の注射針柄ポジション構造を示す図である。
【図７】特許公告第３３２４３３号の注射針柄の引き戻し過程を示す図（１）である。
【図８】特許公告第３３２４３３号の注射針柄の引き戻し過程を示す図（２）である。
【図９】特許公告第３３２４３３号の注射針柄の引き戻し過程を示す図（３）である。
【図１０】特許公告第３３２４３３号の注射針柄の引き戻し過程を示す図（４）である。
【符号の説明】
１　注射針筒
２　注射針柄
１１　頚部
１２　ポジション凸リング
１３　弾靭性締込部
１４　引掛け体
２１　注射針体
２２　ラッパ孔
２３　拡大穴
２４　誘導面
２５　窪み部
【図１】
2004016334.tif 000003
【図２】
2004016334.tif 000004
【図３】
2004016334.tif 000005
【図４】
2004016334.tif 000006
【図５】
2004016334.tif 000007
【図６】
2004016334.tif 000008
【図７】
2004016334.tif 000009
【図８】
2004016334.tif 000010
【図９】
2004016334.tif 000011
【図１０】
2004016334.tif 000012